(57)【要約】【課題】端末装置から宛先情報を受信した場合におけるユーザの利便性を向上させることを目的とする。【解決手段】画像データを送信する画像送信装置であって、外部装置から送信された、画像データの送信に係る設定情報の設定要求を受信する受信手段と、前記画像送信装置の操作者へ通知するメッセージを表示する表示手段と、前記受信手段が前記設定情報を受信した際の前記画像送信装置のステータスに応じて、前記表示手段への表示を制御する表示処理手段とを有する。【選択図】図９
2018046496.tif 000002
【特許請求の範囲】
【請求項１】
画像データを送信する画像送信装置であって、
外部装置から送信された、画像データの送信に係る設定情報の設定要求を受信する受信手段と、
前記画像送信装置の操作者へ通知するメッセージを表示する表示手段と、
前記受信手段が前記設定情報を受信した際の前記画像送信装置のステータスに応じて、前記表示手段への表示を制御する表示処理手段と
を有することを特徴とする画像送信装置。
【請求項２】
前記表示処理手段は、前記設定要求の受信時の他の設定要求の受信状況に応じて、前記表示手段への表示を制御することを特徴とする請求項１に記載の画像送信装置。
【請求項３】
前記表示処理手段は、前記設定要求の受信までに前記受信手段が他の設定要求を受信していない場合には、前記設定情報に基づく設定を行うことを前記操作者に確認させる旨のメッセージを含む第１の確認画面を前記表示手段に表示するよう制御することを特徴とする請求項２に記載の画像送信装置。
【請求項４】
前記第１の確認画面に対応して、前記設定情報に基づく設定を行う旨の指示を受け付けた場合に、前記設定情報に基づいて前記画像の送信に係る設定を行う設定手段をさらに有することを特徴とする請求項３に記載の画像送信装置。
【請求項５】
前記設定手段は、前記第１の確認画面に対応して、前記設定情報に基づく設定を行わない旨の指示を受け付けた場合に、前記設定情報に基づく前記画像の送信に係る設定を行わないことを特徴とする請求項４に記載の画像送信装置。
【請求項６】
前記表示処理手段は、前記受信手段が第１の装置から第１の設定情報に係る第１の設定要求を受信した後に、第２の装置から第２の設定情報に係る第２の設定要求を受信した場合には、前記第２の設定情報の設定を行うか否かを前記操作者に確認させる第２の確認画面を前記表示手段に表示するよう制御することを特徴とする請求項２に記載の画像送信装置。
【請求項７】
前記第２の確認画面に対応して、前記第２の設定情報の設定を行う旨の指示を受け付けた場合に、前記第２の設定情報に基づいて、前記画像の送信に係る設定を行う設定手段をさらに有することを特徴とする請求項６に記載の画像送信装置。
【請求項８】
前記設定手段は、前記第２の確認画面に対応して、前記第２の設定情報の設定を行わない旨の指示を受け付けた場合に、前記第２の設定情報に基づく前記画像の送信先の設定を行わないことを特徴とする請求項７に記載の画像送信装置。
【請求項９】
前記表示処理手段は、前記設定要求の受信時に、前記設定要求の送信元の装置と同一の装置から既に他の設定要求を受信している場合には、前記表示手段への新たな画面の表示は行わないように制御することを特徴とする請求項２乃至８の何れか１項に記載の画像送信装置。
【請求項１０】
前記設定要求の受信時に前記表示手段に表示されている表示画面に応じて、前記設定要求に係る前記設定情報に基づく設定を制御する設定制御手段をさらに有することを特徴とする請求項１に記載の画像送信装置。
【請求項１１】
前記設定制御手段は、前記設定要求の受信時に前記表示手段に特定の画面が表示されている場合には、前記設定情報に基づく設定を許可することを特徴とする請求項１０に記載の画像送信装置。
【請求項１２】
前記設定制御手段は、前記設定要求の受信時に前記特定の画面が表示されていない場合には、前記設定情報に基づく設定を許可しないことを特徴とする請求項１１に記載の画像送信装置。
【請求項１３】
画像データを送信する画像送信装置が実行する制御方法であって、
外部装置から送信された、画像データの送信に係る設定情報の設定要求を受信する受信ステップと、
前記受信ステップにおいて前記設定情報を受信した際の前記画像送信装置のステータスに応じて、前記画像送信装置の操作者へ通知するメッセージを表示する表示手段への表示を制御する表示処理ステップと
を含むことを特徴とする制御方法。
【請求項１４】
画像データを送信する画像送信装置に制御方法を実行させるためのプログラムであって、前記制御方法は、
外部装置から送信された、画像データの送信に係る設定情報の設定要求を受信する受信ステップと、
前記受信ステップにおいて前記設定情報を受信した際の前記画像送信装置のステータスに応じて、前記画像送信装置の操作者へ通知するメッセージを表示する表示手段への表示を制御する表示処理ステップと
を含むことを特徴とするプログラム。
【発明の詳細な説明】
【技術分野】
【０００１】
本発明は、端末装置から送信された宛先情報を画像データの送信先として設定する画像送信装置、制御方法及びプログラムに関する。
【背景技術】
【０００２】
近年、スキャン機能やプリント機能、コピー機能等、画像データの送信機能等複数の機能を備えた画像処理装置がある。これらの画像処理装置を用いて画像データを送信する場合、画像処理装置のアドレス帳に登録されている宛先を選択したり、操作パネルで宛先を直接入力したりすることで、送信先の宛先を指定できる。また、携帯端末内のデータを業務にも活用したいというニーズが増えており、画像処理装置と携帯端末を連携させる機能が登場している（特許文献１参照）。連携機能の一例として、携帯端末が保持する宛先を画像処理装置に送信し、画像処理装置の送信機能の宛先として反映する連携機能がある。この連携機能により、ユーザは、使い慣れた携帯端末を操作し、画像処理装置で使用する宛先を設定できるようになるため、装置の利便性を高めることができる。
【先行技術文献】
【特許文献】
【０００３】
【特許文献１】特開２０１６−２１６１４号公報
【発明の概要】
【発明が解決しようとする課題】
【０００４】
しかしながら、画像処理装置は、複数のユーザで共有して使用するケースが多い。例えば、ユーザが画像処理装置本体の操作部を操作して宛先を設定している最中に、操作部を操作しているユーザとは異なる別のユーザが携帯端末から宛先情報を送信するケースが考えられる。この場合、別のユーザによって送信された宛先を送信機能の設定として反映すると、既に使用していたユーザにとっては、見知らぬ宛先が勝手に追加されることになり、ユーザの意図しない設定がなされることになる。また、ユーザが携帯端末から宛先を画像処理装置に送信し、送信機能の設定として反映した後に、別のユーザが画像処理装置に宛先を送信する場合も同様の課題が発生する。
【０００５】
また、ユーザが携帯端末から宛先を画像処理装置に送信し、送信機能の設定として反映した場合は、そのユーザが画像処理装置を使用しているとみなし、別のユーザからの送信を受け付けないように制御することも考えられる。しかしながら、この場合、ユーザが携帯端末から画像処理装置に宛先情報を送信した後に画像処理装置をそのまま放置してしまうと、別のユーザは、携帯端末から宛先の設定を行うことができない。別のユーザは、前のユーザの利用終了を待つか、画像処理装置の操作画面から前のユーザによって行われた設定をリセットした上で、再度宛先の送信を行う必要がでてきてしまう、という問題も挙げられる。
【０００６】
本発明はこのような問題点に鑑みなされたもので、端末装置から宛先情報や送信機能の設定情報を受信した場合におけるユーザの利便性を向上させることを目的とする。
【課題を解決するための手段】
【０００７】
そこで、本発明は、画像データを送信する画像送信装置であって、外部装置から送信された、画像データの送信に係る設定情報の設定要求を受信する受信手段と、前記画像送信装置の操作者へ通知するメッセージを表示する表示手段と、前記受信手段が前記設定情報を受信した際の前記画像送信装置のステータスに応じて、前記表示手段への表示を制御する表示処理手段とを有することを特徴とする。
【発明の効果】
【０００８】
本発明によれば、端末装置から宛先情報を受信した場合におけるユーザの利便性を向上させることができる。
【図面の簡単な説明】
【０００９】
【図１】複合機のハードウェア構成を示す図である。
【図２】携帯端末装置のハードウェア構成を示す図である。
【図３】ホーム画面の一例を示す図である。
【図４】スキャン機能の設定画面の一例を示す図である。
【図５】ＳｃａｎＴｏＥｍａｉｌ機能の設定画面の一例を示す図である。
【図６】宛先情報の設定要求を受信した際に行う処理パターンを示す図である。
【図７】第１の確認画面の一例を示す図である。
【図８】第２の確認画面の一例を示す図である。
【図９】制御処理を示すフローチャートである。
【図１０】処理パターン１の処理を示すフローチャートである。
【図１１】処理パターン２の処理を示すフローチャートである。
【図１２】処理パターン３の処理を示すフローチャートである。
【発明を実施するための形態】
【００１０】
以下、本発明の実施形態について図面に基づいて説明する。
【００１１】
図１は、画像送信装置の一例としての複合機１００のハードウェア構成を示す図である。複合機１００は、ＣＰＵ１０１、ＲＯＭ１０２、ＤＲＡＭ１０３、操作部１０４、ＮＦＣ１０５、Ｂｌｕｅｔｏｏｔｈ（登録商標）１０６、無線ＬＡＮ１０７、スキャナ１０８、プリンタ１０９及び有線ＬＡＮ１１０を有する。ＣＰＵ１０１は、システムの制御部であり、装置全体を制御する。ＲＯＭ１０２は、ｅＭＭＣ（ｅｍｂｅｄｄｅｄ  Ｍｕｌｔｉ  Ｍｅｄｉａ  Ｃａｒｄ）等のフラッシュメモリで構成されており、ＣＰＵ１０１の制御プログラムを格納するためのものである。ＲＯＭ１０２は、その他にも電源ＯＦＦ時に消えてはいけない設定値や画像データ等の格納も行う。ＤＲＡＭ１０３は、プログラム制御変数等を格納するためのもので、処理する画像データ等を一時的に保存できる揮発性メモリである。なお、後述する複合機１００の機能や処理は、ＣＰＵ１０１がＲＯＭ１０２に格納されているプログラムを読み出し、このプログラムを実行することにより実現されるものである。
【００１２】
操作部１０４は、機器内の情報や操作画面を表示し、かつユーザ（操作者）からの入力を受け付けるインタフェース部である。ＮＦＣ１０５及びＢｌｕｅｔｏｏｔｈ１０６は、近距離無線通信技術の１つであり、これらのモジュールにより複合機１００とその近くにある端末が通信を行う。無線ＬＡＮ１０７は、アクセスポイント経由もしくは直接ネットワーク機器と双方向通信を行うためのインタフェース部である。
【００１３】
スキャナ１０８は、原稿上の画像を読み取って、その画像をバイナリデータ等の画像データに変換する。スキャナ１０８によって生成された画像データはデータバス１１１を介してＲＯＭ１０２又はＤＲＡＭ１０３に転送され、格納される。スキャナ１０８によって生成された画像データはネットワークを介して外部装置に送信されたり、シート上に印刷されたりする。プリンタ１０９は、画像データを記録紙に出力する装置である。有線ＬＡＮ１１０は、ネットワーク機器と双方向通信を行うためのインタフェース部である。有線ＬＡＮ１１０は、無線ＬＡＮ１０７とは異なり、ＬＡＮケーブル等物理的なケーブルを用いてネットワークに接続する。それぞれの制御部はデータバス１１１を介して繋がっている。
【００１４】
図２は、携帯端末装置２００のハードウェア構成を示す図である。なお、本実施形態の携帯端末装置２００はスマートフォンやタブレットＰＣ等の装置を想定しているが、無線ＬＡＮ２０７による通信が可能な情報処理装置であれば他の装置であってもよい。携帯端末装置２００は、ＣＰＵ２０１、ＲＯＭ２０２、ＤＲＡＭ２０３、操作部２０４、ＮＦＣ２０５、Ｂｌｕｅｔｏｏｔｈ２０６、無線ＬＡＮ２０７及びＨＤＤ２０８を有する。
【００１５】
ＣＰＵ２０１は、ＲＯＭ２０２が記憶している制御プログラムを読み出して、携帯端末装置２００の動作を制御するための様々な処理を実行する。ＲＯＭ２０２は、制御プログラムを記憶している。ＤＲＡＭ２０３は、ＣＰＵ２０１の主メモリ、ワークエリア等の一時記憶領域として用いられる。ＨＤＤ２０８は、写真や電子文書等の様々なデータを記憶する。後述する携帯端末装置２００の機能や処理は、ＣＰＵ２０１がＲＯＭ２０２やＨＤＤ２０８に格納されているプログラムを読み出し、このプログラムを実行することにより実現されるものである。
【００１６】
操作部２０４は、ユーザのタッチ操作を検出可能なタッチパネル機能を備え、ＯＳやＥメール送信アプリケーションが提供する各種画面を表示する。ユーザは操作部２０４にタッチ操作を入力することで、携帯端末装置２００に所望の操作指示を入力することができる。なお、携帯端末装置２００は不図示のハードウェアキーを備えていて、ユーザはこのハードウェアキーを用いて携帯端末装置２００に操作指示を入力することができる。ＮＦＣ２０５、Ｂｌｕｅｔｏｏｔｈ２０６は近距離無線通信技術の１つである。無線ＬＡＮ２０７は、ネットワーク機器と双方向通信を行うためのインタフェース部である。
【００１７】
本実施形態においては、携帯端末装置２００には、複合機１００と通信可能なモバイルアプリケーションがインストールされているものとする。また、本実施形態では、複数の携帯端末装置が複合機１００と通信可能であるものとし、各携帯端末装置から複合機１００に宛先情報の設定要求及び宛先情報が送信される。ここで、宛先情報とは、複合機１００において画像データを送信する送信先に関する情報である。本実施形態の宛先情報は画像データの送信先としてＥメールアドレスを含むものとする。また、本実施形態では各携帯端末装置から複合機１００に対して宛先情報が送信されるが、宛先情報の他に画像データの送信に係る他の設定が送信されても良い。例えば、Ｅメールの件名やＥメールの本文、後述するＳｃａｎＴｏＥｍａｉｌにおいてＥメールに添付されるファイルのファイル名等である。本実施形態では宛先情報やこれらの設定を総称して設定情報と呼ぶ。以下の説明では宛先情報を設定情報と置き換えてもよい。
【００１８】
次に、図３〜図５を参照しつつ、複合機１００の操作画面について説明する。ユーザが複合機１００の使用を開始すると、ＣＰＵ１０１は、操作部１０４の表示パネルに実行する処理を選択するためのホーム画面３００を表示するよう制御する。図３は、ホーム画面３００の一例を示す図である。ホーム画面３００には、複合機１００で使用可能なコピーやファクス等様々な機能を実行するためのアイコンが表示されている。ユーザは、操作部１０４を介して、ホーム画面３００において、コピー機能や、送信機能等の複合機１００が備える機能を選択することができる。
【００１９】
図４は、スキャン機能の設定画面４００の一例を示す図である。ユーザがホーム画面３００を介してスキャンに対応するアイコン３０１を選択した場合に、ＣＰＵ１０１は、スキャン機能の設定画面４００を操作部１０４の表示パネルに表示するよう制御する。ここで、スキャン機能は、送信機能を含む機能である。ユーザは、設定画面４００において、送信の種類を選択することができる。例えば、ユーザは、ＵＳＢフラッシュメモリへの保存やＥメールでの送信等様々なスキャンデータの保存先及び送信先に応じて設定画面４００の各項目を選択することができる。
【００２０】
図５は、ＳｃａｎＴｏＥｍａｉｌ機能（Ｅメール送信機能）の設定画面５００の一例を示す図である。図４に示す設定画面４００において、ユーザがＥメールのアイコン４０１を選択した場合に、ＣＰＵ１０１は、ＳｃａｎＴｏＥｍａｉｌ機能の設定画面５００を操作部１０４の表示パネルに表示するよう制御する。設定画面５００には、表示切り替えのためのタブとして、宛先を入力するための宛先指定５０１とスキャン時の原稿読み取り及び送信メール件名と本文等を設定できる送信設定５０２が表示されている。設定画面５００にはさらに、登録した宛先数表示５０３、設定のリセットボタン５０４、スタートボタン５０５、５０６、キーボード入力ボタン５０７、アドレス帳ボタン５０８、ＬＤＡＰサーバボタン５０９、短縮ダイヤルボタン５１０等が表示されている。
【００２１】
ボタン５０７〜５１０ではスキャンした原稿を送信する宛先を選択・入力することができる。具体的には、キーボード入力ボタン５０７を選択すると操作部１０４の表示パネルにキーボードが表示され、宛先を入力することができる。そして、アドレス帳ボタン５０８又は短縮ダイヤルボタン５１０が選択されると、ＣＰＵ１０１は、複合機１００のＲＯＭ１０２に保存されているアドレス帳又は短縮ダイヤルデータを読み出し、メールアドレスを表示する。ＬＤＡＰサーバボタン５０９を選択した場合は、ＣＰＵ１０１は、データベースにアクセスしてメールアドレスを取得し、操作部１０４のパネルに表示を行い、ユーザがアドレスを選択できるようになっている。リセットボタン５０４を選択した場合は、ＣＰＵ１０１は、設定画面５００に設定されている設定値をクリアし、初期状態に戻す。
【００２２】
スタートボタン５０５、５０６が選択された場合には、カラー又はモノクロのスキャンが開始され、スキャナ１０８は、複合機１００にセットされている原稿をスキャンしてバイナリデータに変換する。そして、ＣＰＵ１０１は、無線ＬＡＮ１０７又は有線ＬＡＮ１１０を介して設定画面５００において登録された宛先に、画像データを送信する。処理が完了すると、ＣＰＵ１０１は、設定画面５００において設定された各種設定値をクリアし、初期値に戻す。
【００２３】
本実施形態の複合機１００は、携帯端末装置２００に登録されている宛先情報を受信し、これを複合機１００でスキャンしたデータの送信先として登録する。本実施形態においては、宛先情報は、携帯端末装置２００から複合機１００に登録する宛先アドレス、複合機１００から宛先アドレスにスキャンしたデータを送信する際の件名及び本文を含む。複合機１００は、操作部１０４に特定の画面を表示している場合に、携帯端末装置２００からの宛先の受信を受け付け、特定の画面を表示していない場合は、携帯端末装置２００からの宛先の受信を受け付けないように制御する。この制御により、ユーザがコピー機能等、他の機能を使用している際に、送信画面に切り替わる事を抑制している。
【００２４】
例えば、ホーム画面３００やスキャン機能選択設定画面４００、Ｅメールの設定画面５００が表示パネルに表示されているとする。この場合には、複合機１００は、制限なく宛先情報を受信することとする。したがって、複合機１００に接続するすべての携帯端末装置２００が制限なく、宛先情報を送信することができる。一方で、上記画面以外の画面が表示パネルに表示されている場合には、複合機１００は、宛先情報の受信を受け付けないこととする。すなわち、この場合には、いずれの携帯端末装置も宛先情報を送信することができなくなる。
【００２５】
以降、複合機１００利用状況や複合機１００と携帯端末装置の接続状況に応じて、宛先情報の設定要求の送信時に複合機１００の表示パネルへの表示内容や宛先情報の登録を制御する処理について説明する。なお、以下の説明においては、設定要求の送信元の携帯端末装置２００を対象装置、対象装置以外の携帯端末装置２００を他の装置と称することとする。
【００２６】
図６は、宛先情報の設定要求を受信した際に行う処理パターンを示す図である。設定要求を受信するケースとしては３つのケースがあり、各ケースに対して、複合機１００が行う処理である処理パターンが定められている。ケース１は、複合機１００が設定要求を受信していない場合である。ケース２は、複合機１００が対象装置から設定要求を受信した時点において、他の装置から既に設定要求を受信していた場合である。ケース３は、複合機１００が対象装置から設定要求を受信した時点において、既に同一の装置（対象装置）から設定要求を受信していた場合である。
【００２７】
図７は、ケース１において、対象装置から設定要求を受信した際に、ＣＰＵ１０１の制御により表示パネルにポップアップ表示される第１の確認画面７００の一例を示す図である。第１の確認画面７００には、設定要求を受け付けた旨のメッセージが表示され、さらにキャンセルボタン７０１と、ＯＫボタン７０２とが表示されている。ユーザがキャンセルボタン７０１を押下すること、ＣＰＵ１０１は、設定要求に対応する宛先情報の設定を拒否する。一方で、ユーザがＯＫボタン７０２を押下すると、ＣＰＵ１０１は、設定要求に対応する宛先情報の登録を許可する。そして、この場合には、ＣＰＵ１０１は、対象装置から、宛先情報を受信すると、ＳｃａｎＴｏＥｍａｉｌ機能の送信宛先、メール本文及び件名に宛先情報を設定する。
【００２８】
このように、ＣＰＵ１０１は、第１の確認画面７００を表示し、操作者からの入力に応じて、宛先情報の受信を制御する。すなわち、第１の確認画面７００は、設定要求に係る宛先情報の設定を行うことをユーザに確認するための画面である。したがって、設定要求の受信時に、複合機１００のＳｃａｎＴｏＥｍａｉｌ機能を操作部１０４の表示パネルにおいて直接操作している人がいた場合に、操作者が知らないうちに宛先が追加されるのを防ぐことができる。
【００２９】
図８は、ケース２において、対象装置から設定要求を受信した際に、ＣＰＵ１０１の制御により表示パネルにポップアップ表示される第２の確認画面８００の一例を示す図である。第２の確認画面８００には、設定要求を受け付けた旨のメッセージが表示され、さらにキャンセルボタン８０１と、ＯＫボタン８０２とが表示されている。ユーザがキャンセルボタン８０１を押下すると、ＣＰＵ１０１は、対象装置からの設定要求を拒否し、処理時点における設定要求、すなわち他の装置から受信済みの設定要求に係る処理を継続する。一方で、ユーザがＯＫボタン８０２を押下すると、ＣＰＵ１０１は、まず処理時点における設定をクリアする。そして、ＣＰＵ１０１は、対象装置からの設定要求を受け付け、宛先情報を受信する装置を他の装置から対象装置に切り換える処理を行う。この場合、ＣＰＵ１０１は、対象装置の宛先情報を設定する処理を行う。
【００３０】
このように、ＣＰＵ１０１は、第２の確認画面８００において、他の装置から設定要求を受信した後に対象装置から設定要求を受信した旨を表示する。すなわち、第２の確認画面８００は、他の装置から既に設定要求を受信している状態において対象装置から設定要求を受信した場合において、対象装置からの設定要求に係る宛先情報の設定を行うことをユーザに確認するための画面である。これにより、他の装置のユーザが、対象装置から送信された宛先情報を自身の操作により送信された宛先情報と誤って設定するのを防ぐことができる。また、対象装置からの設定要求を受信する前のタイミングにおいて、設定要求を送信したり、宛先情報を設定したりしたまま放置されているような状況においても、後のユーザである対象装置のユーザが、宛先情報を設定することができる。
【００３１】
また、ケース３においては、複合機１００は、表示パネルへのポップアップ画面の表示を行うことなく、宛先情報を設定するための処理を行う。これにより、設定要求を受信する度にポップアップ表示が行われ、ユーザの利便性を損なうことになるのを防ぐことができる。
【００３２】
図９は、複合機１００による制御処理を示すフローチャートである。制御処理は、ＣＰＵ１０１がＲＯＭ１０２に記憶された制御プログラムをＤＲＡＭ１０３に読み出し、実行する事により実現される。なお、他の例としては、複合機１００は、複数のＣＰＵや複数のＤＲＡＭ、ＲＯＭ、ストレージを有し、これらの協働により制御処理を実現してもよい。また、他の例としては、複合機１００は、ハードウェア回路を用いて一部の処理を実行してもよい。
【００３３】
Ｓ９００において、ＣＰＵ１０１は、宛先情報の設定要求を携帯端末装置２００から受信する。以下、Ｓ９００において受信した設定要求の送信元の携帯端末装置２００を対象装置とし、対象装置以外の携帯端末装置２００を他の装置とする。
【００３４】
次に、Ｓ９０１において、ＣＰＵ１０１は、設定要求の受信時に表示パネルに特定画面が表示されているか否かを確認する。ここで、特定画面は、ホーム画面３００、設定画面４００及び設定画面５００である。特定画面は、宛先情報の設定を行うことができる画面として、例えばＲＯＭ１０２等に複合機１００に予め設定されているものとする。本実施形態においては、ホーム画面及びスキャン機能に関する画面が特定画面として設定されている。特定画面以外の画面としては、例えばコピー画面が挙げられる。ＣＰＵ１０１は、特定画面が表示されている場合には（Ｓ９０１でＹＥＳ）、宛先情報の設定を許可し、処理をＳ９０２へ進める。ＣＰＵ１０１は、特定画面が表示されていない場合には（Ｓ９０１でＮＯ）、宛先情報の設定を許可しないこととし、処理をＳ９００へ進める。Ｓ９０１の処理は、宛先要求の受信時に表示部としての表示パネルに表示されている表示画面において、宛先情報の設定を制御する設定制御処理の一例である。
【００３５】
次に、Ｓ９０２において、ＣＰＵ１０１は、携帯端末装置２００からセッションＩＤを受信する。ここで、セッションＩＤは、宛先登録機能を利用するために複合機１００と携帯端末装置２００間で通信を確立するために必要な情報である。次に、Ｓ９０３において、ＣＰＵ１０１は、設定要求の受信時よりも前のタイミングにおいて、既に対象装置又は他の装置から設定要求を受信しているか否かを確認する。ＣＰＵ１０１は、ＲＯＭ１０２又はＤＲＡＭ１０３に保持されているセッションＩＤに初期値が入っている場合に、設定要求を受信していない判断する。ＣＰＵ１０１はまた、セッションＩＤが初期値以外の値である場合に、既に設定要求を受信しると判断する。ＣＰＵ１０１は、既に設定要求を受信している場合には（Ｓ９０３でＹＥＳ）、処理をＳ９０４へ進める。ＣＰＵ１０１は、設定要求を受信していない場合には（Ｓ９０３でＮＯ）、処理をＳ９０５へ進める。
【００３６】
Ｓ９０４において、ＣＰＵ１０１は、対象装置と前回設定要求を送信してきた装置が同一の装置であるか否かを確認する。ＣＰＵ１０１は、ＤＲＡＭ１０３等に保持されているセッションＩＤと、Ｓ９０２において受信したセッションＩＤが同一である場合に、両装置が同一の装置であると判断する。ＣＰＵ１０１は、両装置が同一の装置である場合には（Ｓ９０４でＹＥＳ）、処理をＳ９０７へ進める。ＣＰＵ１０１は、両装置が異なる装置である場合には（Ｓ９０４でＮＯ）、処理をＳ９０６へ進める。
【００３７】
Ｓ９０５において、ＣＰＵ１０１は、処理パターン１の処理を実行する。処理パターン１の処理については、図１０を参照しつつ後述する。Ｓ９０６において、ＣＰＵ１０１は、処理パターン２の処理を実行する。本処理については図１１を参照しつつ後述する。Ｓ９０７において、ＣＰＵ１０１は、処理パターン３の処理を実行する。処理パターン３の処理については、図１２を参照しつつ後述する。処理パターン１〜３の処理は、いずれも、宛先情報を受信し、これを実行中の機能（スキャン機能）の宛先として設定可能か否かを確認した上で、宛先として設定する処理である。
【００３８】
Ｓ９０５、Ｓ９０６又はＳ９０７の処理の後、ＣＰＵ１０１は、処理をＳ９０８へ進める。Ｓ９０８において、ＣＰＵ１０１は、ユーザによってスタートボタン５０５、５０６が押下されたか否かを確認する。ＣＰＵ１０１は、スタートボタン５０５、５０６が押下された場合には（Ｓ９０８でＹＥＳ）、処理をＳ９１０へ進める。ＣＰＵ１０１は、スタートボタン５０５、５０６が押下されなかった場合には（Ｓ９０８でＮＯ）、処理をＳ９０９へ進める。
【００３９】
Ｓ９０９において、ＣＰＵ１０１は、リセットボタン５０４が押下されたかを確認する。ＣＰＵ１０１は、リセットボタン５０４が押下された場合には（Ｓ９０９でＹＥＳ）、処理をＳ９１２へ進める。ＣＰＵ１０１は、リセットボタンが押下されなかった場合には（Ｓ９０９でＮＯ）、処理を終了する。Ｓ９１０において、ＣＰＵ１０１は、スキャン処理を実行し、複合機１００にセットされた原稿を読み取ってバイナリデータに変換する。次に、Ｓ９１１において、ＣＰＵ１０１は、Ｓ９１０において取得したバイナリデータを宛先に送信する。次に、Ｓ９１２において、ＣＰＵ１０１は、スキャンデータの送信完了又は設定のリセットを受けて設定データのリセットとセッションＩＤのクリアを行う。なお、図９のフローチャートのＳ９００で受信する設定要求に宛先情報（または設定情報）が含まれていても良い。この場合、後述する図１０のＳ１０００、図１１のＳ１１０４、図１２のＳ１２００は省略される。
【００４０】
図１０は、処理パターン１の処理（Ｓ９０５）を示すフローチャートである。Ｓ１０００において、ＣＰＵ１０１は、対象装置から宛先情報を受信する。次に、Ｓ１００１において、ＣＰＵ１０１は、受信した宛先情報を解析し、宛先情報が正しい情報であるか否かを確認する。具体的には、ＣＰＵ１０１は、宛先の文字列長が規定の長さに収まっているか、文字コードが規定通りか等を確認する。ＣＰＵ１０１は、宛先情報が正しい情報である場合には（Ｓ１００２でＹＥＳ）、処理をＳ１００４へ進める。ＣＰＵ１０１は、宛先情報が正しい情報でない場合には（Ｓ１００２でＮＯ）、処理をＳ１００３へ進める。Ｓ１００３においては、ＣＰＵ１０１は、宛先情報が正しくないため、宛先情報の設定を行わない旨の情報を対象装置に送信し、その後処理を終了する。
【００４１】
Ｓ１００４において、ＣＰＵ１０１は、表示パネルに第１の確認画面７００を表示するよう制御する。これにより、ユーザに宛先情報を設定に反映するかどうかを問い合わせる。次に、Ｓ１００５において、ＣＰＵ１０１は、ユーザにより押下されたボタンを確認する。ＣＰＵ１０１は、ＯＫボタン７０２が押下された場合には（Ｓ１００５でＹＥＳ）、処理をＳ１００７へ進める。ＣＰＵ１０１は、キャンセルボタン７０１が押下された場合には（Ｓ１００５でＮＯ）、処理をＳ１００６へ進める。なお、ＣＰＵ１０１は、ＯＫボタン７０２が押下されると、宛先情報の設定を行う旨の指示を受け付け、キャンセルボタン７０１が押下されると、宛先情報の設定を行わない旨の指示を受け付ける。１００６において、ＣＰＵ１０１は、キャンセルボタンが押下されたため、宛先情報の設定を行わない旨の情報を対象装置に送信し、宛先情報の設定を行うことなく、処理を終了する。
【００４２】
Ｓ１００７において、ＣＰＵ１０１は、処理時点において複合機１００のスキャン機能に設定されている、宛先やスキャンデータ送信時のＥメール件名、本文等の設定値を取得する。具体的には、ＣＰＵ１０１は、ＲＯＭ１０２やＤＲＡＭ１０３に保持されている設定値を取得する。次に、Ｓ１００８において、ＣＰＵ１０１は、Ｓ１０００において受信した宛先情報を、処理時点における設定値にマージし、ＲＯＭ１０２等に保存する。
【００４３】
次に、Ｓ１００９において、ＣＰＵ１０１は、Ｓ１００８においてマージした設定値が正しくＲＯＭ１０２等に保存できたかを確認する。ＣＰＵ１０１は、正しく保存できた場合には（Ｓ１００９でＹＥＳ）、処理をＳ１０１１へ進める。ＣＰＵ１０１は、正しく保存できなかった場合には（Ｓ１００９でＮＯ）、処理をＳ１０１０へ進める。Ｓ１０１０において、ＣＰＵ１０１は、ＲＯＭ１０２等に用意されている保存領域をオーバする様なデータが入力されたことにより、宛先情報の設定を行わない旨の情報を対象装置に送信し、その後処理を終了する。Ｓ１０１１において、ＣＰＵ１０１は、ＲＯＭ１０２等に保存した設定値を反映するために、表示パネルに表示される画面表示を更新する。ＣＰＵ１０１は、例えば登録した宛先数表示５０３に表示される宛先数を、追加された分だけ増やす。
【００４４】
図１１は、処理パターン２の処理（Ｓ９０６）を示すフローチャートである。Ｓ１１００において、ＣＰＵ１０１は、表示パネルに第２の確認画面８００を表示するよう制御する。ユーザに、対象装置のユーザによって送信された設定要求に応じた処理を行うかどうかを問い合わせる。次に、Ｓ１１０１において、ＣＰＵ１０１は、ユーザにより押下されたボタンを確認する。ＣＰＵ１０１は、ＯＫボタン８０２が押下された場合には（Ｓ１１０１でＹＥＳ）、処理をＳ１１０３へ進める。ＣＰＵ１０１は、キャンセルボタン８０１が押下された場合には（Ｓ１１０２でＮＯ）、処理をＳ１１０２へ進める。Ｓ１１０２において、ＣＰＵ１０１は、キャンセルボタンの押下により、宛先情報の設定を行わない旨の情報を対象装置に送信し、その後処理を終了する。
【００４５】
Ｓ１１０３において、ＣＰＵ１０１は、処理時点において接続している対象装置との接続を開始し、他のユーザが操作する他の装置と接続を行う。具体的には、ＣＰＵ１０１は、ＲＯＭ１０２又はＤＲＡＭ１０３に保持されているセッションＩＤをリセットし、Ｓ９０２において受信したセッションＩＤを保持する。また、現在のスキャン機能の設定をリセットする。
【００４６】
次に、Ｓ１１０４において、ＣＰＵ１０１は、対象装置から宛先情報を受信する。次に、Ｓ１１０５において、ＣＰＵ１０１は、受信した宛先情報を解析する。本処理は、図１０のＳ１００１の処理と同様である。ＣＰＵ１０１は、宛先情報が正常な情報である場合には（Ｓ１１０６でＹＥＳ）、処理をＳ１１０８へ進める。ＣＰＵ１０１は、宛先情報が正常な情報でない場合には（Ｓ１１０６でＮＯ）、処理をＳ１１０７へ進める。Ｓ１１０７において、ＣＰＵ１０１は、宛先情報が正しくないため、宛先情報の設定を行わない旨の情報を対象装置に送信し、その後処理を終了する。
【００４７】
Ｓ１１０８において、ＣＰＵ１０１は、処理時点において複合機１００のスキャン機能に設定されている、宛先やスキャンデータ送信時のＥメール件名、本文等の設定値を取得する。本処理は、図１０のＳ１００７の処理と同様である。続く、Ｓ１１０９〜Ｓ１１１２の処理は、図１０のＳ１００９〜Ｓ１０１１の処理と同様である。
【００４８】
図１２は、処理パターン３の処理（Ｓ９０７）を示すフローチャートである。本処理は、図１０を参照しつつ説明した処理パターン１の処理からユーザへの問い合わせに関する処理を除いたものである。具体的には、図１０のＳ１００４、Ｓ１００５、Ｓ１００６の処理を除いた処理である。すなわち、処理パターン３においては、ＣＰＵ１０１は、対象装置から既に他の設定要求を受信している状態において再度設定要求を受信した際には、新たな画面の表示は行わないよう制御する。
【００４９】
なお、Ｓ９０３〜Ｓ９０７（図９〜図１２）の処理は、宛先情報の設定要求の受信時に表示パネルに表示されている表示画面や、他の設定要求の受信状況等、複合機１００のステータスに応じた表示内容を表示するよう制御する表示処理の一例である。
【００５０】
以上のように、複合機１００は、携帯端末装置との接続状況や設定要求の受信状況に応じてユーザへ問い合わせる内容を適切に切り替えることができる。例えば、携帯端末装置と接続していない状況では、携帯端末から受信した宛先情報を反映するか否かをユーザに問い合わせることで、画像送信装置の操作中に、意図しない宛先情報が追加されるのを防ぐことができる。また例えば、一の携帯端末装置から設定要求を受信した後、さらに他の携帯端末装置から設定要求を受信した場合には、後から受信した設定要求をキャンセルするか受け付けるかをユーザに問い合わせることができる。従って、携帯端末装置から受信した宛先情報が反映されている状態で画像処置装置が放置された場合においても次のユーザが宛先情報を設定することができる。以上のように、複合機１００は、携帯端末装置から宛先情報を受信した場合における、ユーザの利便性を向上させることができる。
【００５１】
以下、実施形態の変形例について説明する。第１の変形例としては、第１の確認画面７００、第２の確認画面８００は、複合機１００の表示パネルだけでなく、携帯端末装置２００の表示パネルにも表示されるようにしてもよい。さらに、確認画面７００、８００においてキャンセルボタン７０１、８０１が押下された場合に、他の装置である携帯端末装置２００において、表示パネルに「使用中のユーザから設定要求が拒否された」という旨の情報を表示してもよい。
【００５２】
また、第２の変形例としては、複合機１００は、異なる携帯端末装置からの設定要求の受信回数が閾値以上となった場合に、第２の確認画面８００を表示するようにしてもよい。
【００５３】
また、第３の変形例としては、複合機１００は、確認画面７００、８００でキャンセルボタン７０１、８０１が押下された後に設定要求を受信した場合には、以下の処理を行ってもよい。すなわち、複合機１００は、２回目以降の再設定要求を受信した場合には、処理時点において接続中の携帯端末装置が接続を解除するまでポップアップ表示を行うことなく、要求を拒否することとしてもよい。また、複合機１００は、一定時間が経過するまで要求を拒否することとしてもよい。
【００５４】
また、第４の変形例としては、複合機１００は、接続を拒否された携帯端末装置に対し、処理時点において接続中の携帯端末装置が接続を解除した場合に、接続可能である旨の情報を送信してもよい。また、接続を拒否された携帯端末装置は、拒否された後に操作可能な状態にしてもよい。また、他の例としては、接続を拒否された携帯端末装置は、「他携帯端末が接続中です。しばらくお待ちください。」という旨の文言を操作部２０４に表示して接続キャンセルか接続可能になるまで待つような状態にしてもよい。
【００５５】
また、第５の変形例としては、複合機１００は、１台の携帯端末装置と接続中に他の携帯端末装置２００から設定要求を受信した場合に、以下の処理を行ってもよい。なお、ここでは、接続中の携帯端末装置を携帯端末装置Ａ、携帯端末装置Ａが接続中に設定要求を送信した他の携帯端末装置２００を、設定要求を送信した順に、携帯端末装置Ｂ、Ｃ、Ｄとする。この場合、複合機１００は、携帯端末Ｂ〜ＤのセッションＩＤを設定要求の順番に記憶しておく。そして、複合機１００は、接続中の携帯端末装置Ａが接続を解除した際に、順番に接続可能である旨の通知情報を携帯端末装置Ｂ〜Ｄに送信してもよい。
【００５６】
また、第６の変形例としては、複合機１００は、１台の携帯端末装置から設定要求を受信した状態で複合機１００が放置され、複合機１００の表示パネルの画面が一定時間変化しない場合には、以下の処理を行ってもよい。例えば、ホーム画面３００等に自動的に遷移する機能がＯＦＦにされている場合に関して、設定要求の送信元の携帯端末装置が、宛先設定機能を制御するアプリで一定時間操作が無い等の条件により自動的に複合機１００との接続を解除してもよい。
【００５７】
以上、本発明の好ましい実施形態について詳述したが、本発明は係る特定の実施形態に限定されるものではなく、特許請求の範囲に記載された本発明の要旨の範囲内において、種々の変形・変更が可能である。
【００５８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５９】
１００  複合機
１１０  携帯端末装置
１０１  ＣＰＵ
１０２  ＲＯＭ
【図１】
2018046496.tif 000003
【図２】
2018046496.tif 000004
【図３】
2018046496.tif 000005
【図４】
2018046496.tif 000006
【図５】
2018046496.tif 000007
【図６】
2018046496.tif 000008
【図７】
2018046496.tif 000009
【図８】
2018046496.tif 000010
【図９】
2018046496.tif 000011
【図１０】
2018046496.tif 000012
【図１１】
2018046496.tif 000013
【図１２】
2018046496.tif 000014